【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
インターネットにアクセス可能であり、携帯電話機能を備えた携帯端末装置において、
電子情報を処理する情報処理手段と、
電子情報を記憶する記憶手段と、
所定のサーバ装置に通信回線を介して接続し、前記情報処理手段に貨幣情報処理を実行させるための貨幣情報処理プログラムと、秘密情報に加え電子マネーＩＤとを受信する情報受信手段と、
前記情報受信手段で受信した貨幣情報処理プログラムと秘密情報及び電子マネーＩＤとを、前記記憶手段に組み込む組み込み手段と、
前記情報受信手段が貨幣情報処理プログラムと、秘密情報及び電子マネーＩＤとを受信する前に、前記所定のサーバ装置に、当該所定のサーバ装置が電子マネーサービスを提供するのに必要な情報を送信する送信手段と、を具備し、
前記電子マネーＩＤは、前記送信手段が送信した当該所定のサーバ装置が電子マネーサービスを提供するのに必要な情報と対応付けて発行されており、
前記貨幣情報処理プログラムは、
前記情報受信手段が前記秘密情報を受信した後、前記組み込んだ秘密情報を用いて、バリュー処理機能である、所定の端末装置、又は所定のサーバ装置から受信した、金額変更情報を受信する金額情報受信機能と、前記受信した金額変更情報を用いて、貨幣情報の金額を変更する貨幣情報処理機能と、を前記情報処理手段で実現するための貨幣情報処理プログラムであること、を特徴とする携帯端末装置。
【請求項２】
前記情報処理手段および前記記憶手段は、ＩＣチップにより実現され、
前記送信手段が送信する前記所定のサーバ装置に当該所定のサーバ装置が電子マネーサービスを提供するのに必要な情報が、各ＩＣチップ固有のＩＣチップＩＤであり、
且つ、このＩＣチップＩＤを読み出すＩＣチップＩＤ読み出し手段を備え、
前記送信手段は、このＩＣチップＩＤ読み出し手段が読み出したＩＣチップＩＤを送信し、
前記電子マネーＩＤは、前記送信手段が送信した各ＩＣチップ固有のＩＣチップＩＤと対応付けて発行されていることを特徴とする請求項１記載の携帯端末装置。
【請求項３】
前記ＩＣチップＩＤ読み出し手段が読み出したＩＣチップＩＤは、当該携帯端末装置のユーザーは読み取れないようになっていることを特徴とする請求項２記載の携帯端末装置。
【請求項４】
前記ＩＣチップＩＤまたは電子マネーＩＤをユーザの認証に用いることを特徴とする請求項２または請求項３に記載の携帯端末装置。
【請求項５】
前記ＩＣチップは当該携帯端末装置に対して着脱可能に構成されていることを特徴とする請求項２から請求項４のいずれか１項に記載の携帯端末装置。
【請求項６】
各種情報を表示する表示手段を備え、
この表示手段に、前記組み込み手段が組み込んだ電子マネーＩＤを表示することを特徴とする請求項１から請求項５のいずれか１項に記載の携帯端末装置。
【請求項７】
前記表示手段は、前記組み込み手段が貨幣情報処理プログラムと秘密情報及び電子マネーＩＤとを、前記記憶手段に組み込む作業を行っている旨を表示することを特徴とする請求項６記載の携帯端末装置。
【請求項８】
前記貨幣情報処理プログラムが、前記貨幣情報処理機能により貨幣情報の金額を変更した履歴を記憶する貨幣情報記憶機能も前記情報処理手段で実現するプログラムであり、
前記組み込み手段が、前記情報受信手段で受信した貨幣情報処理プログラムと秘密情報及び電子マネーＩＤとを、前記記憶手段に組み込む際に、貨幣情報記憶機能で記憶した履歴を記録するログデータ記憶部を前記記憶手段に生成することを特徴とする請求項１から請求項７のいずれか１項に記載の携帯端末装置。
【請求項９】
前記ログデータ記憶部に記録された履歴を表示するログデータ表示手段を備えたことを特徴とする請求項８記載の携帯端末装置。
【請求項１０】
請求項１から請求項９のいずれか１項に記載の携帯端末装置の送信手段から電子マネーサービスを提供するのに必要な情報を受領する受領手段と、
前記受領手段で受領した電子マネーサービスを提供するのに必要な情報に対応付けて電子マネーＩＤを発行する電子マネーＩＤ発行手段と、
請求項１から請求項９のいずれか１項に記載の携帯端末装置の情報処理手段に貨幣情報処理を実行させるための貨幣情報処理プログラムおよび秘密情報と、前記電子マネーＩＤ発行手段で発行された電子マネーＩＤとを送信する情報送信手段と、を備えたことを特徴とする電子マネーサーバ。
【請求項１１】
前記受領手段で受領した電子マネーサービスを提供するのに必要な情報がＩＣチップＩＤであった場合、
前記電子マネーＩＤ発行手段が当該ＩＣチップＩＤに対応付けて電子マネーＩＤを発行することを特徴とする請求項１０記載の電子マネーサーバ。
【請求項１２】
前記電子マネーＩＤ発行手段が発行する各電子マネーＩＤ毎に、少なくとも対応付けられたＩＣチップＩＤおよび前記貨幣情報処理プログラムの前記組み込み手段による組み込みのステータスを格納しているユーザ情報データベースをさらに備えたことを特徴とする請求項１１記載の電子マネーサーバ。
【手続補正２】
【補正対象書類名】明細書
【補正対象項目名】発明の名称
【補正方法】変更
【補正の内容】
【発明の名称】携帯端末装置および電子マネーサーバ
【手続補正３】
【補正対象書類名】明細書
【補正対象項目名】００１３
【補正方法】変更
【補正の内容】
【００１３】
請求項１記載の発明では、インターネットにアクセス可能であり、携帯電話機能を備えた携帯端末装置において、電子情報を処理する情報処理手段と、電子情報を記憶する記憶手段と、所定のサーバ装置に通信回線を介して接続し、前記情報処理手段に貨幣情報処理を実行させるための貨幣情報処理プログラムと、秘密情報に加え電子マネーＩＤとを受信する情報受信手段と、前記情報受信手段で受信した貨幣情報処理プログラムと秘密情報及び電子マネーＩＤとを、前記記憶手段に組み込む組み込み手段と、前記情報受信手段が貨幣情報処理プログラムと、秘密情報及び電子マネーＩＤとを受信する前に、前記所定のサーバ装置に、当該所定のサーバ装置が電子マネーサービスを提供するのに必要な情報を送信する送信手段と、を具備し、前記電子マネーＩＤは、前記送信手段が送信した当該所定のサーバ装置が電子マネーサービスを提供するのに必要な情報と対応付けて発行されており、前記貨幣情報処理プログラムは、前記情報受信手段が前記秘密情報を受信した後、前記組み込んだ秘密情報を用いて、バリュー処理機能である、所定の端末装置、又は所定のサーバ装置から受信した、金額変更情報を受信する金額情報受信機能と、前記受信した金額変更情報を用いて、貨幣情報の金額を変更する貨幣情報処理機能と、を前記情報処理手段で実現するための貨幣情報処理プログラムであることを特徴とする携帯端末装置を提供する。
請求項２記載の発明では、請求項１記載の発明において、前記情報処理手段および前記記憶手段は、ＩＣチップにより実現され、前記送信手段が送信する前記所定のサーバ装置に当該所定のサーバ装置が電子マネーサービスを提供するのに必要な情報が、各ＩＣチップ固有のＩＣチップＩＤであり、且つ、このＩＣチップＩＤを読み出すＩＣチップＩＤ読み出し手段を備え、前記送信手段は、このＩＣチップＩＤ読み出し手段が読み出したＩＣチップＩＤを送信し、前記電子マネーＩＤは、前記送信手段が送信した各ＩＣチップ固有のＩＣチップＩＤと対応付けて発行されていることを特徴とする。
請求項３記載の発明では、請求項２記載の発明において、前記ＩＣチップＩＤ読み出し手段が読み出したＩＣチップＩＤは、当該携帯端末装置のユーザーは読み取れないようになっていることを特徴とする。
請求項４記載の発明では、請求項２または請求項３記載の発明において、前記ＩＣチップＩＤまたは電子マネーＩＤをユーザの認証に用いることを特徴とする。
請求項５記載の発明では、請求項２から請求項４のいずれか１項に記載の発明において、前記ＩＣチップは当該携帯端末装置に対して着脱可能に構成されていることを特徴とする。
請求項６記載の発明では、請求項１から請求項５のいずれか１項に記載の発明において、各種情報を表示する表示手段を備え、この表示手段に、前記組み込み手段が組み込んだ電子マネーＩＤを表示することを特徴とする。
請求項７記載の発明では、請求項６記載の発明において、前記表示手段は、前記組み込み手段が貨幣情報処理プログラムと秘密情報及び電子マネーＩＤとを、前記記憶手段に組み込む作業を行っている旨を表示することを特徴とする。
請求項８記載の発明では、請求項１から請求項７のいずれか１項に記載の発明において、前記貨幣情報処理プログラムが、前記貨幣情報処理機能により貨幣情報の金額を変更した履歴を記憶する貨幣情報記憶機能も前記情報処理手段で実現するプログラムであり、前記組み込み手段が、前記情報受信手段で受信した貨幣情報処理プログラムと秘密情報及び電子マネーＩＤとを、前記記憶手段に組み込む際に、貨幣情報記憶機能で記憶した履歴を記録するログデータ記憶部を前記記憶手段に生成することを特徴とする。
請求項９記載の発明では、請求項８記載の発明において、前記ログデータ記憶部に記録された履歴を表示するログデータ表示手段を備えたことを特徴とする。
請求項１０記載の発明では、請求項１から請求項９のいずれか１項に記載の携帯端末装置の送信手段から電子マネーサービスを提供するのに必要な情報を受領する受領手段と、前記受領手段で受領した電子マネーサービスを提供するのに必要な情報に対応付けて電子マネーＩＤを発行する電子マネーＩＤ発行手段と、請求項１から請求項９のいずれか１項に記載の携帯端末装置の情報処理手段に貨幣情報処理を実行させるための貨幣情報処理プログラムおよび秘密情報と、前記電子マネーＩＤ発行手段で発行された電子マネーＩＤとを送信する情報送信手段と、を備えたことを特徴とする電子マネーサーバを提供する。
請求項１１記載の発明では、請求項１０記載の発明において、前記受領手段で受領した電子マネーサービスを提供するのに必要な情報がＩＣチップＩＤであった場合、前記電子マネーＩＤ発行手段が当該ＩＣチップＩＤに対応付けて電子マネーＩＤを発行することを特徴とする。
請求項１２記載の発明では、請求項１１記載の発明において、前記電子マネーＩＤ発行手段が発行する各電子マネーＩＤ毎に、少なくとも対応付けられたＩＣチップＩＤおよび前記貨幣情報処理プログラムの前記組み込み手段による組み込みのステータスを格納しているユーザ情報データベースをさらに備えたことを特徴とする。